(57)【要約】【課題】電話機への着信を容易に認識でき、電話機以外で外線通話することのできるインターホンシステムを提供する。【解決手段】インターホンシステム１は、スピーカ８およびマイクロホン９を有する通話手段６を備え、公衆電話回線Ｌ１に接続されるインターホン親機２と、インターホン親機２に内線Ｌ３を介して接続されている電話機４と、外線着信を検出する外線着信検出手段２０と、インターホン親機２に設けられ、外線着信検出手段２０が外線着信を検出したときに着信音を鳴動させる鳴動手段１１，２１と、外線着信検出手段２０が外線着信を検出しているときに公衆電話回線Ｌ１と通話手段６を接続することのできる接続手段２４を具備する。【選択図】図１
2005295007.tif 000002
【特許請求の範囲】
【請求項１】
スピーカおよびマイクロホンを有する通話手段を備え、通話線を介してインターホン子機が接続されるとともに、公衆電話回線に接続されるインターホン親機と；
インターホン親機に内線を介して接続されて公衆電話回線に接続されている電話機と；
インターホン親機に設けられ、外線着信を検出する外線着信検出手段と；
インターホン親機に設けられ、外線着信検出手段が外線着信を検出したときに着信音を鳴動させる鳴動手段と；
を具備していることを特徴とするインターホンシステム。
【請求項２】
スピーカおよびマイクロホンを有する通話手段を備え、通話線を介してインターホン子機が接続されるとともに、公衆電話回線に接続されるインターホン親機と；
インターホン親機に設けられ、公衆電話回線に接続されるとともに、電話機を接続することのできる接続部と；
インターホン親機に設けられ、外線着信を検出する外線着信検出手段と；
インターホン親機に設けられ、外線着信検出手段が外線着信を検出したときに着信音を鳴動させる鳴動手段と；
を具備していることを特徴とするインターホンシステム。
【請求項３】
スピーカおよびマイクロホンを有する通話手段を備え、通話線を介してインターホン子機が接続されるとともに、公衆電話回線に接続されるインターホン親機と；
インターホン親機に内線を介して接続されて公衆電話回線に接続されている電話機と；
インターホン親機に設けられ、外線着信を検出する外線着信検出手段と；
インターホン親機に設けられ、外線着信検出手段が外線着信を検出したときに着信音を鳴動させる鳴動手段と；
外線着信検出手段が外線着信を検出しているときに公衆電話回線と前記通話手段を接続することのできる接続手段と；
を具備していることを特徴とするインターホンシステム。
【発明の詳細な説明】
【技術分野】
【０００１】
本発明は、インターホン親機に公衆電話回線に接続される電話機が接続されているインターホンシステムに関する。
【背景技術】
【０００２】
インターホン子機からの呼出に対して、外線(公衆電話回線)に接続されている電話機から通話することのできる電話・インターホン装置が提案されている(例えば、特許文献１参照。)。また、電話機の外線通話中に、インターホン子機からの呼出があっても電話機による外線通話を保留または終了することなく、インターホン子機とインターホン親機との間で通話を行うことができるインターホンシステムが提案されている(例えば、特許文献２参照。)。そして、これらの従来技術では、外線着信時に、電話機の内臓ベルが鳴動することにより、外線着信を報知している。
【特許文献１】特開平１０−２４３１１２号公報（第３頁、第１図）
【特許文献２】特開平９−１５３９５０号公報（第７−８頁、第１図）
【発明の開示】
【発明が解決しようとする課題】
【０００３】
インターホン親機は、通常、台所付近に設けられ、電話機は、居間、寝室や玄関の入口付近など、インターホン親機と離れた場所に設置されることがある。そして、電話機の着信音を小さくしていると、騒音やテレビ等の音声により着信音が聞こえにくく、逆に、電話機の着信音を大きくしていると、電話機の近くで着信音が発音されたときビックリするという問題がある。また、例えば、２階に電話機を設置していると、電話機の着信音に呼応して、２階まで移動しなければならないことがあるという問題がある。
【０００４】
本発明は、電話機への着信を容易に認識でき、電話機以外で外線通話することのできるインターホンシステムを提供することを目的とする。
【課題を解決するための手段】
【０００５】
請求項１に記載のインターホンシステムの発明は、スピーカおよびマイクロホンを有する通話手段を備え、通話線を介してインターホン子機が接続されるとともに、公衆電話回線に接続されるインターホン親機と；インターホン親機に内線を介して接続されて公衆電話回線に接続されている電話機と；インターホン親機に設けられ、外線着信を検出する外線着信検出手段と；インターホン親機に設けられ、外線着信検出手段が外線着信を検出したときに着信音を鳴動させる鳴動手段と；を具備していることを特徴とする。
【０００６】
本発明および以下の発明において、特に言及しない限り、各構成は以下による。
【０００７】
電話機は、インターホン親機を介して、通常、公衆電話回線(外線)と接続状態にされている。したがって、例え停電等によりインターホン親機が動作していなくても、電話機において外線発信および外線着信が行える。
【０００８】
鳴動手段の着信音を鳴動するスピーカは、通話手段のスピーカを許容するが、当該スピーカとは別のスピーカであることが好ましい。
【０００９】
本発明によれば、電話機およびインターホン親機において、外線着信の着信音が鳴動され、電話機への着信が容易に認識される。
【００１０】
請求項２に記載のインターホンシステムの発明は、スピーカおよびマイクロホンを有する通話手段を備え、通話線を介してインターホン子機が接続されるとともに、公衆電話回線に接続されるインターホン親機と；インターホン親機に設けられ、公衆電話回線に接続されるとともに、電話機を接続することのできる接続部と；インターホン親機に設けられ、外線着信を検出する外線着信検出手段と；インターホン親機に設けられ、外線着信検出手段が外線着信を検出したときに着信音を鳴動させる鳴動手段と；を具備していることを特徴とする。
【００１１】
接続部は、例えば、電話機のコードを着脱自在に接続するモジュラジャックとすることができる。また、各部屋や居間などに配線される内線を接続することができる。
【００１２】
本発明によれば、インターホン親機および接続部に接続される電話機において、外線着信の着信音が鳴動され、外線着信が容易に認識される。
【００１３】
請求項３に記載のインターホンシステムの発明は、スピーカおよびマイクロホンを有する通話手段を備え、通話線を介してインターホン子機が接続されるとともに、公衆電話回線に接続されるインターホン親機と；インターホン親機に内線を介して接続されて公衆電話回線に接続されている電話機と；インターホン親機に設けられ、外線着信を検出する外線着信検出手段と；インターホン親機に設けられ、外線着信検出手段が外線着信を検出したときに着信音を鳴動させる鳴動手段と；外線着信検出手段が外線着信を検出しているときに公衆電話回線と前記通話手段を接続することのできる接続手段と；を具備していることを特徴とする。
【００１４】
接続手段により公衆電話回線とインターホン親機の通話手段が接続され、インターホン親機側で外線通話するとき、電話機からも外線通話させるようにしても、外線通話させないようにしてもよい。また、電話機で外線通話するとき、インターホン親機の通話手段からも外線通話させるようにしても、外線通話させないようにしてもよい。すなわち、公衆電話回線と、インターホン親機の通話手段および電話機を混信させても混信させなくてもよい。
【００１５】
本発明によれば、外線着信があったときに、電話機の他、インターホン親機の通話手段で外線通話が行える。
【発明の効果】
【００１６】
請求項１の発明によれば、電話機およびインターホン親機の両方で外線着信の着信音が鳴動される結果、電話機への着信が容易に認識されるので、電話機をインターホン親機から離れた場所に設置することができ、着信音を低く設定することができる。
【００１７】
請求項２の発明によれば、インターホン親機および接続部に接続される電話機の両方で外線着信の着信音が鳴動され、外線着信が容易に認識されるので、接続部に接続される電話機をインターホン親機から離れた場所に設置することができ、着信音を低く設定することができる。
【００１８】
請求項３の発明によれば、外線着信があったときに、電話機またはインターホン親機で外線通話を行うことができるので、外線着信に呼応して近くの電話機またはインターホン親機に移動することができる。
【発明を実施するための最良の形態】
【００１９】
以下、本発明の一実施の形態について、図面を参照して説明する。
【００２０】
図１〜図３は、本発明の一実施の形態を示し、図１はインターホンシステムの概略構成図、図２はインターホン親機の概略回路図、図３は他のインターホンシステムの概略構成図である。
【００２１】
図１において、インターホンシステム１は、インターホン親機２、インターホン子機３および電話機４を有して構成されている。
【００２２】
インターホン親機２は、電話公衆回線(外線)Ｌ１に接続され、通話線（通信線）Ｌ２を介してインターホン子機３に接続され、さらに内線Ｌ３を介してモジュラジャック５が接続されている。このモジュラジャック５にコード４ａ付き電話機４が接続されている。すなわち、電話機４は、内線Ｌ３を介してインターホン親機２に接続されている。そして、インターホン親機２内において、電話公衆回線（外線）Ｌ１と内線Ｌ３が常時接続されるようにしており、電話機４は、常時、外線Ｌ１に接続されている。また、インターホン親機２には、電話公衆回線（外線）Ｌ１に接続されている接続部としてのモジュラジャック５Ａが設けられている。このモジュラジャック５Ａに電話機４のコード４ａを着脱自在に接続することができる。また、内線Ｌ３を接続することができる。
【００２３】
インターホン親機２は、例えば台所付近に設置され、インターホン子機３は玄関に設置され、電話機４は居間、寝室、玄関付近あるいは２階の部屋など任意の場所に設置される。
【００２４】
インターホン親機２は、通話手段を構成するハンドセット６および親機本体７に形成されている。そして、ハンドセット６に音声を発音するスピーカ８および音声を集音するマイクロホン９が備えられ、親機本体７内に基板に配設された回路部品等が収納されている。親機本体７には、表面に臨むようにしてフックスイッチ１０および鳴動手段を構成するスピーカ１１が設けられている。フックスイッチ１０は、ハンドセット６が親機本体７から取り外されたことを検出するものである。スピーカ１１は、インターホン子機３からの呼出音または電話機４に対する外線着信の着信音を発音するものである。
【００２５】
また、親機本体７には、表面に露出して、電源モニタ１２、玄関モニタ１３および電話モニタ１４が設けられ、さらに音量調整つまみ１５が設けられている。電源モニタ１２、玄関モニタ１３および電話モニタ１４は、それぞれ発光ダイオードを有して形成されている。そして、電源モニタ１２は、インターホン親機２が給電されているときに緑色で表示する。玄関モニタ１３は、橙色で表示され、インターホン子機３からの呼出中に点滅し、インターホン子機３との通話中に点灯する。また、電話モニタ１４は、青色で表示され、外線着信中に点滅し、外線通話中に点灯する。そして、音量調整つまみ１５は、インターホン子機３からの呼出音および電話機４に対する外線着信の着信音の音量を調整するものである。図中、音量調整つまみ１５を右側に移動させると当該音量は大きくなり、左側に移動させると小さくなる。
【００２６】
インターン子機３は、表面に露出して電源モニタ１６および呼出釦１７が設けられ、表面に臨むようにしてマイクロホン１８およびスピーカ１９が設けられている。電源モニタ１６は、インターホン子機３が給電されているときに緑色で表示する。呼出釦１７は、押圧されることにより、通話線Ｌ２を介してインターホン親機２に呼出音の信号を伝送させ、インターホン親機２のスピーカ１１から呼出音を発音させる。そして、マイクロホン１８は、訪問者の音声を集音し、スピーカ１９は、通話線Ｌ２を介してインターホン親機２から伝送されてくる在宅者の音声を発音させる。マイクロホン１８およびスピーカ１９と、インターホン親機２のハンドセット６のマイクロホン９およびスピーカ８との間で、訪問者および在宅者の通話が行われる。
【００２７】
そして、電話機４は、一般に市販されている家庭用の電話機であり、モジュラジャック５に着脱自在に接続されている。また、インターホン親機２のモジュラジャック５Ａに着脱自在に接続することができる。
【００２８】
図２は、インターホン親機２の概略回路構成を示す。インターホン親機２は、外線着信検出手段としての外線着信検出回路２０、鳴動手段としてのスピーカ１１、スピーカ回路２１および制御回路２２、接続手段としての電話機接続回路２３、第１のスイッチ回路２４および双方向アンプ回路２５、通話手段としての通話回路２６、マイクロホン９およびスピーカ１０を有して形成されている。
【００２９】
そして、公衆電話回線(外線)Ｌ１および内線Ｌ３が電話機接続回路２３に接続されている。電話機接続回路２３は、外線Ｌ１と内線Ｌ３を常時接続し、電話機４にて外線発信および外線着信ができるようにしている。そして、電話機接続回路２３は、制御回路２２に接続されており、制御回路２２の制御により、第１のスイッチ回路２４を動作させ、外線Ｌ１を双方向アンプ回路２５に接続するように構成されている。
【００３０】
外線Ｌ１には、外線着信を検出する外線着信検出回路２０が接続されている。外線着信検出回路２０は、制御回路２２に接続されており、外線着信の検出信号を制御回路２２に送出する。また、内線Ｌ３には、電話機４のフック状態をループ電流により検出する第１のフック検出回路２７が接続されている。フック状態の検出は、第１のフック検出回路２７から制御回路２２に入力される。また、外線Ｌ１には、接続部としてのモジュラジャック５Ａが接続されている。
【００３１】
そして、通話線Ｌ２は、インターホン接続回路２８に接続されている。インターホン接続回路２８は、制御回路２２に接続されている。インターホン接続回路２８は、インターホン子機３からの呼出を検出するとともに、制御回路２２の制御により、第２のスイッチ回路２９を動作させ、内線Ｌ２を双方向アンプ回路２５に接続するように構成されている。
【００３２】
双方向アンプ回路２５は、第１のスイッチ回路２４を介して電話機接続回路２３に接続され、第２のスイッチ回路２９を介してインターホン接続回路２８に接続され、さらに通話回路２６に接続されているとともに、制御回路２２に接続され、制御回路２２の制御により双方向に伝送される信号の増幅を行うように構成されている。
【００３３】
そして、通話回路２６は、ハンドセット６のマイクロホン９およびスピーカ８に接続され、マイクロホン９で集音された音声を音声信号に変換して、双方向アンプ回路２５等を介してインターホン子機３または外線Ｌ１に伝送させ、インターホン子機３のマイクロホン１８で集音された音声の音声信号または外線Ｌ１からの音声信号を、スピーカ８で発音される信号に変換してスピーカ８に送出するように構成されている。マイクロホン９は、ハンドセット６を持って通話している在宅者の音声を集音し、スピーカ８は、インターホン子機３を操作した訪問者の音声や外線相手の音声を発音する。
【００３４】
そして、制御回路２２には、フックスイッチ１０により、ハンドセット６が親機本体７から取り外されたことを検出する第２のフック検出回路３０が接続されている。
【００３５】
また、制御回路２２には、スピーカ回路２１が接続されている。スピーカ回路２１は、制御回路２２により制御され、インターホン子機３の呼出釦か押圧されてインターホン接続回路２８に呼出信号が伝送されると、スピーカ１１に呼出音（ピンポン）を発音させる。また、外線着信検出回路２０が外線着信を検出すると、スピーカ１１に着信音を鳴動させる。そして、音量調整つまみ１５の操作に応じて、呼出音または着信音の音量を変化させるように構成されている。
【００３６】
さらに、制御回路２２は、玄関モニタ用の発光ダイオード３１および電話機モニタ用の発光ダイオード３２を接続している。制御回路２２は、発光ダイオード３１をインターホン子機３からの呼出中に点滅させ、インターホン子機３との通話中に点灯させるように制御する。また、発光ダイオード３２を外線着信中に点滅させ、外線通話中に点灯させるように制御する。
【００３７】
そして、インターホン親機２には、電源回路３３が設けられている。電源回路３３は、商用交流電源Ｖｓに接続され、交流電圧を所定の直流電圧に変換して、制御回路２２など、各回路部に供給している。そして、電源回路３３は、電源モニタ用の発光ダイオード３４を接続しており、発光ダイオード３４を点灯させて、インターン親機２が給電中であることを表示させている。
【００３８】
制御回路２２は、各種の制御信号が入力され、制御信号に応じて各回路部を制御するように構成されている。
【００３９】
次に、図２を用いて、本発明の一実施形態の基本動作について説明する。
【００４０】
まず、外線着信があるときについて説明する。
【００４１】
外線Ｌ１に着信があると、着信信号が電話接続回路２３を介して内線Ｌ３に伝送され、電話機４に入力される。そして、電話機４の内臓ベルが鳴動する。また、外線着信検出回路２０により外線着信が検出され、検出信号が制御回路２２に入力される。制御回路２２は、スピーカ回路２１を制御してスピーカ１１より着信音を発音(鳴動)させるとともに、電話機モニタ１４の発光ダイオード３２を点滅させる。したがって、外線着信時、着信音が電話機４およびインターホン親機２の２個所で鳴動されるので、着信音が聞こえやくなる。例えば、１階にインターホン親機２が設置され、２階に電話機４が設置されていても、着信音を聞き逃すことが抑制される。
【００４２】
そして、電話機４の受話器を取り上げると、第１のフック検出回路２４が電話機４をオフフックしたことを検出し、当該検出を制御回路２２に入力する。制御回路２２は、スピーカ回路２１を制御してスピーカ１１より着信音を発音(鳴動)させることを停止させるとともに、電話機モニタ１４の発光ダイオード３２を点灯させる。そして、電話機４で外線通話が行える。
【００４３】
また、インターホン親機２のハンドセット６を親機本体７から取り外すと、第２のフック検出回路３０が当該取り外しを検出し、検出信号を制御回路２２に入力する。制御回路２２は、スピーカ回路２１を制御してスピーカ１１による着信音の発音(鳴動)を停止させるとともに、電話機接続回路２３を制御して第１のスイッチ回路２４を動作(オン)させる。これにより、通話回路２６が双方向アンプ回路２５、第１のスイッチ回路２４および電話機接続回路２３を介して外線Ｌ１に接続され、インターホン親機２のハンドセット６で外線通話が行える。そして、制御回路２２は、電話機モニタ１４の発光ダイオード３２を点灯させる。
【００４４】
そして、外線通話が終了し、電話機４の受話器がセットされると、第１のフック検出回路２７が電話機４をオンフックしたことを検出し、当該検出を制御回路２２に入力する。制御回路２２は、電話機モニタ１４の発光ダイオード３２を消灯させる。また、インターホン親機２のハンドセット６を親機本体７にセットすると、第２のフック検出回路３０が当該セットを検出し、検出信号を制御回路２２に出力する。制御回路２２は、電話機モニタ１４の発光ダイオード３２を消灯させる。
【００４５】
上述したように、外線着信に対して、電話機４またはインターホン親機２のいずれからでも外線通話が行える。したがって、外線着信があったときに、電話機４またはインターホン親機２の近い方に移動して、外線通話を行うことができる。例えば、１階にインターホン親機２が設置され、２階に電話機４が設置されているときに、１階において外線着信の鳴動が聞こえたとき、２階までに移動することが回避される。
【００４６】
次に、インターホン親機２で外線通話中にインターホン子機３から呼出があるときについて説明する。
【００４７】
インターホン親機２で外線通話中は、ハンドセット６のマイクロホン９およびスピーカ８、通話回路２６、双方向アンプ回路２５、第１のスイッチ回路２４、電話機接続回路２３および外線Ｌ１で通話路が形成されている。
【００４８】
そして、インターホン子機３の呼出釦１７が押圧され、通話線Ｌ２を介して呼出信号がインターホン接続回路２８に入力されると、制御回路２２は、スピーカ回路２１に呼出信号を送出せず、スピーカ１１から呼出音を発生させないように制御する。そして、制御回路２２は、玄関モニタ１３の発光ダイオード３１を点滅させる。ハンドセット６を持って外線通話中の在宅者は、玄関モニタ１３の点滅を視認することにより、来訪者を認識することができる。そして、所定期間例えば３０秒間放置すると、制御回路２２は、インターホン接続回路２８をリセットしてインターホン子機３からの呼出を解除するとともに、発光ダイオード３１を点滅から消灯させる。
【００４９】
インターホン子機３からの呼出中に、外線通話を中断して、訪問者と通話するときは、親機本体７のフックスイッチ１０を短時間オンフックさせる。このオンフックは、第２のフック検出回路３０で検出され、検出信号が制御回路２２に入力される。制御回路２２は、電話機接続回路２３を制御して第１のスイッチ回路２４の動作を停止させ、通話回路２６と外線Ｌ１との通話路を遮断させる。このとき、電話モニタ１４の発光ダイオード３２は点滅制御される。そして、制御回路２２は、インターホン接続回路２８を制御して第２のスイッチ回路２９を動作(オン)させ、玄関モニタ１３の発光ダイオード３１を点灯させる。これにより、ハンドセット６のマイクロホン９およびスピーカ８、通話回路２６、双方向アンプ回路２５、第２のスイッチ回路２９、インターホン接続回路２８、通話線Ｌ２およびインターホン子機３で通話路が形成される。したがって、インターホン子機３およびインターホン親機２間で訪問者および在宅者による通話(インターホン通話)ができる。
【００５０】
そして、再び外線通話をするときは、親機本体７のフックスイッチ１０を短時間オンフックさせる。このオンフックは、第２のフック検出回路３０で検出され、検出信号が制御回路２２に入力される。制御回路２２は、インターホン接続回路２８を制御して第２のスイッチ回路２９の動作を停止させ、通話回路２６と通話線Ｌ２との通話路を遮断させるとともに、玄関モニタ１３の発光ダイオード３１を消灯させる。そして、制御回路２２は、電話機接続回路２３を制御して第１のスイッチ回路２４を動作(オン)させ、電話モニタ１４の発光ダイオード３２を点滅から点灯させる。これにより、ハンドセット６のマイクロホン９およびスピーカ８、通話回路２６、双方向アンプ回路２５、第１のスイッチ回路２４、電話機接続回路２３および外線Ｌ１で通話路が形成され、再びインターホン親機２で外線通話をすることができる。
【００５１】
次に、インターホン親機２とインターホン子機３との間でインターホン通話中に外線着信があるときについて説明する。
【００５２】
インターホン親機２でインターホン通話中は、ハンドセット６のマイクロホン９およびスピーカ８、通話回路２６、双方向アンプ回路２５、第２のスイッチ回路２９、インターホン接続回路２８、通話線Ｌ２およびインターホン子機３で通話路が形成されている。
【００５３】
そして、外線着信があると、着信信号が電話機接続回路２３および内線Ｌ３を介して電話機４に入力され、電話機４の内臓ベルが鳴動する。また、外線着信検出回路２０により外線着信が検出され、検出信号が制御回路２２に入力される。このとき、制御回路２２は、電話モニタ１４の発光ダイオード３２を点滅させるように制御するが、スピーカ回路２１を制御せず、スピーカ１１より着信音を発音(鳴動)させないようにする。ハンドセット６を持ってインターホン通話中の在宅者は、電話モニタ１４の点滅を視認することにより、外線着信を認識することができる。そして、外線着信中、電話機４の内臓ベルは鳴動を継続し、電話モニタ１４の発光ダイオード３２は点滅を継続する。
【００５４】
そして、インターホン通話が終了して、インターホン親機２で外線通話するときは、ハンドセット６を親機本体７に数秒間セットして、またはフックスイッチ１０を数秒間オンして、再びハンドセット６を親機本体７から取り外すようにする。以下、上記で説明したように、インターホン親機２で外線通話が行える。
【００５５】
そして、在宅者のインターホン通話中に、他の在宅者が電話機４の受話器を取り上げると、第１のフック検出回路２７が電話機４をオフフックしたことを検出し、当該検出を制御回路２２に出力する。制御回路２２は、電話モニタ１４の発光ダイオード３２を点滅から点灯させる。そして、他の在宅者により、電話機４での外線通話が行える。
【００５６】
また、インターホン通話中に、インターホン通話を中断して、外線通話するときは、親機本体７のフックスイッチ１０を短時間オンフックさせる。このオンフックは、第２のフック検出回路３０で検出され、検出信号が制御回路２２に入力される。制御回路２２は、インターホン接続回路２８を制御して第２のスイッチ回路２９の動作を停止させ、通話回路２６と通話線Ｌ２との通話路を遮断させる。このとき、玄関モニタ１３の発光ダイオード３１は点滅制御される。そして、制御回路２２は、電話機接続回路２３を制御して第１のスイッチ回路２４を動作(オン)させ、電話モニタ１４の発光ダイオード３２を点滅から点灯させる。これにより、ハンドセット６のマイクロホン９およびスピーカ８、通話回路２６、双方向アンプ回路２５、第１のスイッチ回路２４、電話機接続回路２３および外線Ｌ１で通話路が形成され、インターホン親機２で外線通話することができる。
【００５７】
そして、外線通話が終了し、再びインターホン通話をするときは、親機本体７のフックスイッチ１０を短時間オンフックさせる。このオンフックは、第２のフック検出回路３０で検出され、検出信号が制御回路２２に入力される。制御回路２２は、電話機接続回路２３を制御して第１のスイッチ回路２４の動作を停止させ、通話回路２６と外線Ｌ１との通話路を遮断させるとともに、電話モニタ１４の発光ダイオード３２を消灯させる。さらに、インターホン接続回路２８を制御して第２のスイッチ回路２９を動作(オン)させ、玄関モニタ１３の発光ダイオード３１を点滅から点灯させる。これにより、ハンドセット６のマイクロホン９およびスピーカ８、通話回路２６、双方向アンプ回路２５、第２のスイッチ回路２９、インターホン接続回路２８、通話線Ｌ２およびインターホン子機３で通話路が形成され、再びインターホン通話をすることができる。
【００５８】
なお、電話機４は、図３に示すように、インターホン親機２に設けられているモジュラジャック５Ａに接続して使用することができる。
【図面の簡単な説明】
【００５９】
【図１】本発明の一実施の形態を示すインターホンシステムの概略構成図。
【図２】同じく、インターホン親機の概略回路図。
【図３】同じく、他のインターホンシステムの概略構成図。
【符号の説明】
【００６０】
１…インターホンシステム
２…インターホン親機
４…電話機
５Ａ…接続部としてのモジュラジャック
１１…鳴動手段としてのスピーカ
２０…外線着信検出手段としての外線着信検出回路
２１…鳴動手段としてのスピーカ回路
２４…接続手段としての第１のスイッチ回路
【図１】
2005295007.tif 000003
【図２】
2005295007.tif 000004
【図３】
2005295007.tif 000005